(57)【特許請求の範囲】
【請求項１】
中央に折り曲げ罫線を挟んでなる２片のプラスチックシートに、物品を入れる収納用成形部および該収納用成形部の一側に接地し得る下縁を有する表示用成形部を形成するとともに、表示成形部は前記２片のプラスチックシートを折り曲げ罫線から折り曲げることにより向かい合わせたときに一方のプラスチックシートが他方のプラスチックシートに突出する凸部となり、他方のプラスチックシートが凸部と嵌合する凹部とし、雄雌関係になるように立体的に形成し、収納成形部は組み立てたときに底部が平坦になるように成形して、表示成形部の下縁の接地と収納成形部の底部の接地で自立することを特徴とする表示容器。
【発明の詳細な説明】
【０００１】
【産業上の利用分野】
本発明は物品を入れる収納用成形部を形成した２片のプラスチツクシートを向かい合わせてなる表示容器に関する。
【０００２】
【従来の技術及び解決しようとする課題】
従来の表示容器としては、物品を入れる収納用成形部を形成したプラスチツクシートを、表示内容等を印刷した厚紙からなる台紙にホットメルト系接着剤により貼り合わせてなる、いわゆるブリスター容器が用いられているが、貼り合わせのときの圧力や温度により台紙部分が反ったり変形して見苦しくなるという問題があった。
【０００３】
【課題を解決するための手段】
本発明は、中央に折り曲げ罫線を挟んでなる２片のプラスチックシートに、物品を入れる収納用成形部および該収納用成形部の一側に接地し得る下縁を有する表示用成形部を形成するとともに、表示成形部は前記２片のプラスチックシートを折り曲げ罫線から折り曲げることにより向かい合わせたときに一方のプラスチックシートが他方のプラスチックシートに突出する凸部となり、他方のプラスチックシートが凸部と嵌合する凹部とし、雄雌関係になるように立体的に形成し、収納成形部は組み立てたときに底部が平坦になるように成形して、表示成形部の下縁の接地と収納成形部の底部の接地で自立することを特徴とする表示容器である。
【０００４】
以下、本発明を添付図面に基づいて説明する。
図１は本発明の表示容器の一例を示す斜視図、図２は図１の右側面図、図３は図１のＩＩＩ  −ＩＩＩ  断面図、図４，５はそれぞれ本発明の表示容器の他の例を示す断面図である。
【０００５】
本発明は図１〜５に示すように、２片のプラスチツクシート１に、物品を入れる収納用成形部２および該収納用成形部２に隣接する位置に表示用成形部３を形成するとともに、前記２片のプラスチツクシート１を向かい合わせたときに表示用成形部２は互いに嵌合する雄雌関係になるようにしたことを特徴とする表示容器である。
【０００６】
プラスチツクシート１はポリエチレンテレフタレート、ポリプロピレン、ポリ塩化ビニルなどからなる硬質または半硬質で、熱成形可能なものが使用でき、透明なものが透視性を発揮でき、好ましい。
【０００７】
物品を入れる収納用成形部２は、例えば口紅、筆記用具あるいは電気部品等の物品の大きさに合せて形成すればよく、図１〜５の例では２片のプラスチツクシート１の両方に形成してあるが、片方にのみ形成してあってもよい。
【０００８】
表示用成形部３は、図３に示すように２片のプラスチツクシート１、すなわち中央部に折り曲げ罫線６を挟んで点線で示す左片１及び実線下半に示す右片１の２片のプラスチツクシート１の両方に形成し、折り曲げ罫線６から折り曲げることにより前記２片のプラスチツクシート１を向かい合わせたときに表示用成形部３は互いに嵌合する雄雌関係になるようにして、この嵌合により、向かい合わせた２片のプラスチツクシート１が開かない用に固定することができ、また立体的に成形することにより表示効果を高めるとともに、そのリブ作用により表示部が変形するのを防ぐという効果を奏するものである。
【０００９】
折り曲げ罫線６で連接された２片のプラスチツクシート１で構成すれば一体に取扱いができるので好ましいが、分離した２枚のプラスチツクシートにより、２片のプラスチツクシート１をそれぞれ構成してもよい。
【００１０】
この表示用成形部３は、収納用成形部２の一側ばかりでなく、収納用成形部２の上側や反対側に回り込むように形成してもよい。
【００１１】
本発明の表示容器を組み立てる場合は、例えば図３に示すように点線で示すプラスチツクシート左片１を開いておき、収納用成形部２に口紅等の物品を収納してから、中央部の折り曲げ罫線６から、左片１を折り曲げて２片のプラスチツクシート１を向かい合わせ、表示用成形部３を互いに嵌合すればよい。
【００１２】
このとき、表示用成形部３内に、表示内容を印刷した紙片や小冊子などの表示体４を挿入しておけば組み立てと同時に表示部を形成できる。もちろん表示用成形部３に直接、裏印刷や表印刷により表示内容を印刷することにより表示部を形成してもよい。
【００１３】
さらに、向かい合わせた２片を接着剤により接着したり、ステープラーやセロフアン粘着テープ等により２片のプラスチツクシート１が開かない用に確実に固定することもできる。
【００１４】
物品を入れる収納用成形部２は、図２に示すように組み立てたときに底部２１が、平坦になるように成形しておくと自立性を与えることができる。組み立てたときに収納用成形部２が下拡がりになるよう形成することにより、底部を大きくして自立性を向上してもよい。
【００１５】
図４の例では、折り曲げ罫線６から収納用成形部２までの側片部分１１及び表示用成形部３側の側片部分１２をそれぞれ渦状に拡がるように形成して、それらの下縁を接地させることにより自立性を与えている。
【００１６】
図５の例では、収納用成形部２の側方に長く延びる長側端１３を、短い短側端１５を超えるように直角に折り曲げてあり、その下縁を接地させることにより自立性を与えている。長側端１３に突起１４を形成して短側端１５の端部を係止することにより、２片のプラスチツクシート１が開かない用に固定することができる。
【００１７】
図１に示すように、収納用成形部２の上方に吊り下げ用孔５を形成しておいてもよい。
【００１８】
【発明の効果】
本発明は、中央に折り曲げ罫線を挟んでなる２片のプラスチックシートに、物品を入れる収納用成形部および該収納用成形部の一側に接地し得る下縁を有する表示用成形部を形成するとともに、表示成形部は前記２片のプラスチックシートを折り曲げ罫線から折り曲げることにより向かい合わせたときに一方のプラスチックシートが他方のプラスチックシートに突出する凸部となり、他方のプラスチックシートが凸部と嵌合する凹部とし、雄雌関係になるように立体的に形成し、収納成形部は組み立てたときに底部が平坦になるように成形して、表示成形部の下縁の接地と収納成形部の底部の接地で自立することを特徴とする表示容器であるので、２片のプラスチックシートを向かい合わせて表示用成形部を互いに嵌合するだけで組み立てることができ、表示用成形部が表示効果を高めるとともに、補強作用を奏するので変形しにくいという効果がある。
【図面の簡単な説明】
【図１】本発明の表示容器の一例を示す斜視図
【図２】図１の右側面図
【図３】図１のＩＩＩ  −ＩＩＩ  断面図
【図４】本発明の表示容器の他の例を示す断面図
【図５】本発明の表示容器の他の例を示す断面図
【符号の説明】
１    プラスチツクシート
２    収納用成形部
３    表示用成形部
【図１】
0003607739.tif 000002
【図２】
0003607739.tif 000003
【図３】
0003607739.tif 000004
【図４】
0003607739.tif 000005
【図５】
0003607739.tif 000006